(57)【要約】【課題】  機器の調節脚を高さ調節する際に、長い柄の回動方向の動きを可能な限り小さなものとし、狭小な場所でも良好な操作性を有する調整脚の回転操作具を提供する。【解決手段】  機器２の脚軸部３に歯車４が設けられた調節脚５の高さ調節に用いられ、柄３０の先端にヘッド部１０が設けられ、ヘッド部には、先端に歯車との噛み合い部１５ｂを有するラチェットレバー１５が枢着され、ラチェットレバーを所望の方向に付勢すると共に回動方向を規制する回動規制部材１７，１８が設けられた操作具において、ヘッド部１０が所定の角度内で回動可能なように柄２０の先端に枢軸３０により枢着され、操作具１を機器の設置面７に沿って配置したときに設置面から所定高さに維持するスペーサー２３が柄の所定箇所に設けられた。【選択図】  図２
2008036717.tif 000002
【特許請求の範囲】
【請求項１】
機器の脚軸部に歯車が設けられた調節脚の高さ調節に用いられ、柄の先端にヘッド部が設けられ、ヘッド部には、先端に歯車との噛み合い部を有するラチェットレバーが枢着され、ラチェットレバーを所望の方向に付勢すると共に回動方向を規制する回動規制部材が設けられた操作具において、
前記ヘッド部は所定の角度内で回動可能なように前記柄の先端に枢着され、当該操作具を前記機器の設置面に沿って配置したときに設置面から所定高さに維持するスペーサーが前記柄の所定箇所に設けられ、
前記スペーサーを設置面に載置した状態で、前記柄を先端に向けて押したり引いたり往復動させることにより、ヘッド部は所定角度内で回動し、ヘッド部が所定方向に回転するときラチェットレバーが歯車と噛み合って調節脚を回転させ、ヘッド部が逆方向に回転するときラチェットレバーは歯車に対して空転するものである調節脚の回転操作具。
【請求項２】
前記ヘッド部を回動停止又は回動可能にする回動停止手段が設けられ、前記ヘッド部の側部には前記歯車と噛み合い可能な噛み合い部が形成されたものである請求項１に記載の調節脚の回転操作具。
【請求項３】
前記回動停止手段は、前記柄のほぼ全長に沿って延設された軸部材と、当該軸部材の先端が嵌合可能なように前記ヘッド部に設けられた凹部と、前記軸部材の先端が前記凹部に嵌合するように軸部材を付勢する付勢手段と、前記軸部材と前記凹部とが嵌合されているとき及び嵌合解除されているとき、それぞれの状態を保持するために前記柄の所定箇所に係合するように前記軸部材に設けられた係止部とを備え、
前記軸部材の先端が前記凹部に嵌合することにより、前記ヘッド部が回動しないように規制するものである請求項２に記載の調節脚の回転操作具。
【発明の詳細な説明】
【技術分野】
【０００１】
本発明は、機器の調節脚の高さ調節をする際に用いる回転操作具に関するものである。
【背景技術】
【０００２】
缶入り飲料やタバコ等の自動販売機、又はその他の機器には、あらかじめ脚軸部に六角ナットが固着されており、六角ナットにスパナ等の工具を嵌めて回転操作をすることにより、高さ調節が行なわれている。しかしながら、機器が壁際に設置される場合には、工具が脚軸部の六角ナットに届かなかったり、工具を回転操作するためのスペースが十分に取れず、高さ調節が円滑に行えなかったりすることがあった。
このような課題を解決するため、本出願人は、既に調節脚の回転操作具を発明し、これが特開平９−２０６１４７号公報（特許文献１）に記載されている。
【０００３】
特許文献１の回転操作具は、歯車が脚軸部に一体成形された機器の高さ調節に用いられるものであり、長い柄の一端に扁平薄型のケースが固着され、ケースには歯車の挿入口と脚軸部の受入れ溝とが設けられ、内部中央にＵ字形のラチェットレバーが枢着され、ラチェットレバーは先端に歯車との噛み合い部が形成されたものであり、ラチェットレバーはバネにより歯車と噛合う方向に回転付勢され、駆動時にはラチェットレバーの回転を制し、非駆動時にはラチェットレバーの回転を許すストッパーピンが固着されたものである。
以上のような回転操作具では、脚軸部の歯車をラチェットレバーで回転させるものであるため、機器が壁際に設置される場合にも、比較的容易に機器の高さ調節を行うことができるという長所がある。
【０００４】
しかしながら、扁平薄型ケースは長い柄の一端に固着されたものであるため、ラチェットレバーで歯車を回転させるときには、長い柄を比較的大きく回動させる必要があり、狭小な場所における操作性には若干の問題が残されている。
【特許文献１】特開平９−２０６１４７号公報
【発明の開示】
【発明が解決しようとする課題】
【０００５】
したがって、本発明の目的は、機器の調節脚の高さ調節をする際に、長い柄の回動方向の動きを可能な限り小さなものとし、狭小な場所における操作性を向上させ得る調整脚の回転操作具を提供することである。
【課題を解決するための手段】
【０００６】
以下、課題を解決するための手段について、添付図面中の参照番号を付して説明する。
本発明の調節脚５の回転操作具１は、機器２の脚軸部３に歯車４が設けられた調節脚５の高さ調節に用いられ、柄２０の先端にヘッド部１０が設けられ、ヘッド部１０には、先端に歯車４との噛み合い部を有するラチェットレバー１５が枢着され、ラチェットレバー１５を所望の方向に付勢すると共に回動方向を規制する回動規制部材１７，１８が設けられた操作具において、前記ヘッド部１０は所定の角度内で回動可能なように前記柄２０の先端に枢着され、当該操作具１を前記機器２の設置面７に沿って配置したときに設置面７から所定高さに維持するスペーサー２３が前記柄２０の所定箇所に設けられ、前記スペーサー２３を設置面７に載置した状態で、前記柄２０を先端に向けて押したり引いたり往復動させることにより、ヘッド部１０は所定角度内で回動し、ヘッド部１０が所定方向に回転するときラチェットレバー１５が歯車４と噛み合って調節脚５を回転させ、ヘッド部１０が逆方向に回転するときラチェットレバー１５は歯車４に対して空転するものである。
【０００７】
本発明の調節脚５の回転操作具１は、前記ヘッド部１０を回動停止又は回動可能にする回動停止手段が設けられ、前記ヘッド部１０の側部には前記歯車４と噛み合い可能な噛合部１２ｃが形成されたものである。
本発明の調節脚５の回転操作具１において、回動停止手段は、前記柄２０のほぼ全長に沿って延設された軸部材２５と、当該軸部材２５の先端２５ａが嵌合可能なように前記ヘッド部１０に設けられた凹部１３ｆと、前記軸部材２５の先端２５ａが前記凹部１３ｆに嵌合するように軸部材２５を付勢する付勢手段２６と、前記軸部材２５と前記凹部１３ｆとが嵌合されているとき、及び嵌合解除されているとき、それぞれの状態を保持するために前記柄２０の所定箇所に係合するように前記軸部材２５に設けられた係止部２５ｂとを備え、前記軸部材２５の先端２５ａが前記凹部１３ｆに嵌合することにより、前記ヘッド部１０が回動しないように規制するものである。
【発明の効果】
【０００８】
本発明の回転操作具は、細長い柄の先端にヘッド部が回動可能に枢着されたものであるため、ヘッド部のラチェットレバーを歯車に噛み合わせ、柄を材軸方向に先端に向けて押したり引いたり往復動させるだけで、ヘッド部は機器の調節脚回りを所定角度内で回動し、ヘッド部が所定方向に回転するときラチェットレバーが歯車と噛み合って調節脚を回転させ、ヘッド部が逆方向に回転するときラチェットレバーは歯車に対して空転するものである。したがって、機器の調節脚の高さ調節をするとき、細長い柄は回動方向にほとんど動かす必要がなく、狭小な場所における回転操作具の操作性が格段に向上する。
【発明を実施するための最良の形態】
【０００９】
以下、図面を参照して本発明について説明するが、本発明はこれに限定されるものではない。
【００１０】
本発明の調節脚の回転操作具１は、図１（ａ）（ｂ）のように、機器２の脚軸部３に歯車４が設けられた調節脚５の高さ調節に使用されるものであって、図２（ａ）（ｂ）に示したように、ヘッド部１０が柄２０の先端に枢軸３０で回動可能に連結されている。またヘッド部１０は、図２（ａ）における実線のように、柄２０に対して真直ぐになった状態で回動しないようにロックし得るものである。ヘッド部１０の柄２０に対する回動範囲は任意に定めることができるものであるが、ここでは、ほぼ１８０°程度回動可能なものを例示した。なお、歯車４は中央に六角穴４ａが形成されたものを使用することが可能であり、機器２の脚軸部３に一体成形された六角ナット６に嵌め込み固着しても良い。
【００１１】
ヘッド部１０は、図３（ａ）（ｂ）に示したように、扁平薄型ケース１１の上側に空回しギアプレート１２が重ねられ、その後端の上下両側にそれぞれ固定プレート１３が重ねられ、これら部材がボルト１４ａやナット１４ｂの固定具１４で一体に固定されている。
【００１２】
ここで、扁平薄型ケース１１には、図４（ａ）（ｂ）に示したように、その内部中央にラチェットレバー１５がピン１６で枢着され、ラチェットレバー１５を歯車４と噛合う方向に回転付勢するバネ１７が設けられ、ラチェットレバー１５の所定方向への回転を制すると共に、逆方向への回転を許すストッパーピン１８が固着される。ストッパーピン１８は簡単に取外しが可能であり、取付向きを変えることによって回転操作具１の駆動回転方向を反転させることができる。扁平薄型ケース１１は、一端に歯車４の挿入口１１ａと脚軸部の受入れ溝１１ｂを備え、後端部１１ｃにボルト１４ａを挿通するための孔１４ｄが穿設されている。ラチェットレバー１５は、Ｕ字形で２本の枝部１５ａの先端に歯車との噛み合い部１５ｂを有する。以上のようなラチェットレバー１５は、機器２の調節脚５が設置面７に達しているときに、脚軸部３を回転させて高さ調整をするためのものである。
扁平薄型ケース１１において、歯車４に挿入口１１ａを嵌めると、バネ１７に回転付勢されたラチェットレバー１５の一方の枝部１５ａの噛み合い部１５ｂが歯車４に係合する。ヘッド部１０が所定方向に回転して駆動するときには、ラチェットレバー１５の回転がストッパーピン１８に制され、歯車４とラチェットレバ１５ーは一体に回転する。一方、ヘッド部１０が逆方向に回転して非駆動になったときには、ラチェットレバー１５は回転可能であるので噛み合い部１５ｂで歯車４に対して空転し、ヘッド部１０は歯車４をケース内に収容したまま初期位置に戻る。
【００１３】
空回しギアプレート１２は、図５（ａ）（ｂ）に示したように、扁平薄型ケース１１の上側に重ね合わせられるケース被覆部１２ａの先端に歯車４の挿入口１２ｂが形成され、両側に直線状に延びるギア１２ｃが形成され、後端部１２ｄにはボルト１４ａを挿通するための孔１２ｅが穿設されている。空回しギアプレート１２は、機器２の調節脚５が設置面７に達していないときに、ギア１２ｃを歯車４に噛み合わせて脚軸部３を回転させ、調節脚５を下降させるためのものである。このようにギア１２ｃを使用するとき、ヘッド部１０は、図２（ａ）における実線のように、柄２０に対して真直ぐになった状態で回動しないようにロックされている。
【００１４】
固定プレート１３は、図６（ａ）（ｂ）に示したように、固着部１３ａと枢着部１３ｂとから構成される。固着部１３ａには、ボルト１４ａを挿通するための孔１３ｃが穿設され、両側に折返し部１３ｄが形成される。枢着部１３ｂには、枢軸３０を挿通するための孔１３ｅが穿設され、後端に凹部１３ｆが切り欠き形成される。
固定プレート１３は、図３（ｂ）のように、二枚を折返し部１３ｄが向き合うように逆向きにして、固着部１３ａにより、扁平薄型ケース１１の後端部１１ｃと、空回しギアプレート１２の後端部１２ｄとを挟み込み、ここにボルト１４ａを挿通し、ナット１４ｂで一体に固定する。二枚の固定プレート１３は枢着部１３ｂどうしが重ね合わされ、この枢着部１３ｂが枢軸３０で柄２０に枢着される。
【００１５】
次に、柄２０に付いて説明する。図７（ａ）は図２において点線Ａで囲んだ部分の拡大平面図であり、図７（ｂ）はその断面図であり、図７（ｃ）は柄２０を構成する上側ケース２１ａの拡大平面図である。また図８（ａ）は図２において点線Ｂで囲んだ部分の拡大平面図であり、図８（ｂ）はその断面図である。
柄２０は、図２及び図３に示したように、上側ケース２１ａと下側ケース２１ｂとが重ね合わされて形成されたものであり、先端部分に貫通孔が設けられ、この先端部分で固定プレート１３の枢着部１３ｂを挟み込んで、貫通孔に枢軸３０を通して回動可能に枢着される。柄２０の後端付近にはハンドル２２が固定され、下面には複数箇所にスペーサー２３が設けられる。このスペーサー２３は、回転操作具１を機器２の設置面７から所定高さに維持するためのものであり、これにより、ヘッド部１０のラチェットレバー１５や空回しギアプレート１２が確実に歯車４に噛み合う高さになる。
【００１６】
柄２０の内部には、複数箇所にバーガイド２４が固定される。各バーガイド２４は中央に孔を有し、この孔に回動停止バー２５が挿入されて摺動可能に保持され、回動停止バー２５は上側及び下側ケース２１ａ，２１ｂの先端から後端まで延設される。回動停止バー２５は、直線状に延びる細い径の鋼棒の後端付近がほぼ直角に曲げられたものであり、後述するバネ２６により先端２５ａに向けて付勢されている。回動停止バー２５の後端の折曲げ部分２５ｂは、上側及び下側ケース２１ａ，２１ｂの後端から外側に突出している。
この折曲げ部分２５ｂが図７（ｂ）のように直立しているとき、折曲げ部分２５ｂは上側ケース２１ａの後端の切欠部２１ｃに嵌合し、回動停止バー２５の先端２５ａは固定プレート１３の凹部１３ｆに嵌合する。この嵌合によりヘッド部１０の柄２０に対する回動が停止され、ヘッド部１０と柄２０は図２（ａ）の実線のように直線状に固定される。
一方、折曲げ部分２５ｂが図７（ａ）の一点鎖線のように倒れているときには、折曲げ部分２５ｂは上側ケース２１ａの側縁２１ｄに当接し、回動停止バー２５は図７（ｂ）の状態よりも後方に位置する。これにより、回動停止バー２５の先端２５ａは固定プレート１３の凹部１３ｆから嵌合解除され、ヘッド部１０の柄２０に対する相対的な回動が可能になる。
【００１７】
また回動停止バー２５の中間部には、材軸方向に直交する貫通孔が穿設され、この貫通孔にピン２７が挿入されて固定される。ピン２７は、回動停止バー２５の折曲げ部分２５ｂと同じ角度で設けられたものであり、したがって、折曲げ部分２５ｂが図７（ｂ）のように直立しているとき、ピン２７も直立状態であり、折曲げ部分２５ｂが図７（ａ）の一点鎖線のように倒れているときには、ピン２７も倒れている。またピン２７とバーガイド２４との間には、図８に示したように、回動停止バー２５にバネ２６が環装され、これにより、回動停止バー２５は先端に向けて付勢されている。
一方、上側ケース２１ａと下側ケース２１ｂには、ピン２７の上下端を突出させる孔２１ｅがそれぞれ形成され、孔２１ｅは、図８（ａ）のように小さな円と長方形とが組み合わされた形状に形成されている。ピン２７はバネ２６により付勢されているため、直立状態のとき、ピン２７は小さな円の部分に位置し、回動停止バー２５の先端２５ａは固定プレート１３の凹部１３ｆに嵌合し、ピン２７が長方形の部分に位置するとき、回動停止バー２５の先端２５ａは固定プレート１３の凹部１３ｆから嵌合解除されている。
【００１８】
次に、図９を参照して本発明の回転操作具１の作用について説明する。
図９（ａ）は回転操作具１の簡略図である。このとき、ヘッド部１０は柄２０に対して真直ぐになっており、ヘッド部１０が柄２０に対して相対的に回動しないように、回動停止バー２５の先端が固定プレート１３の凹部１３ｆに嵌合している。また回動停止バー２５の後端の折曲げ部分２５ｂは、図７（ｂ）のように直立している。
【００１９】
最初に、回転操作具１を機器２の下方スペースに差し込むと、回転操作具１はスペーサー２３により設置面７から所定高さに保持され、ヘッド部１０のラチェットレバー１５が歯車３に噛み合わされる。次に、折曲げ部分２５ｂを後方に引いて回動させ、図７（ａ）の一点鎖線のように倒れた状態にする。これにより、回動停止バー２５の先端２５ａは固定プレート１３の凹部１３ｆから嵌合解除され、ヘッド部１０の柄２０に対する相対的な回動が可能になる。
【００２０】
次に、図９（ｂ）の矢印Ａ１で示したように、柄２０を先端に向けて材軸方向に押し込んでスライドさせると、ヘッド部１０と柄２０とが枢軸３０で相対的に回動することにより、ヘッド部１０が矢印Ｃ１方向に回動する。このとき、例えば、ラチェットレバー１５の回転がストッパーピン１８に制されないように回転可能に設定されている場合、ラチェットレバ１５ーは噛み合い部１５ｂで歯車４に対して空転する。次に、柄２０を矢印Ａ２のように材軸方向に引張って後方にスライドさせると、今度はヘッド部１０が矢印Ｃ２方向に回動し、ヘッド部１０は柄２０に対して真直ぐな状態まで戻される。このとき、ラチェットレバー１５の回転がストッパーピン１８に制されて、歯車４とラチェットレバ１５ーは一体になって回転し、調節脚５が上下いずれかの方向に動かされる。
【００２１】
さらに、図９（ｂ）の矢印Ｂ１のように、柄２０を先端に向けて材軸方向に押し込むと、ヘッド部１０と柄２０とが枢軸３０で相対的に回動し、ヘッド部１０が矢印Ｃ３方向に回動する。このとき、歯車４とラチェットレバ１５ーは一体になって回転し、調節脚５はさらに上下の所定方向に動かされる。逆に、柄２０を矢印Ｂ２方向に引張ると、今度はヘッド部１０が矢印Ｃ４方向に回動し、ヘッド部１０は柄２０に対して真直ぐな状態まで戻される。このとき、ラチェットレバ１５ーは噛み合い部１５ｂで歯車４に対して空転するため、調節脚５は上下方向へ動かされない。
【００２２】
以上のように、柄２０を材軸方向に先端に向けて押したり引いたり往復動させるだけで、ヘッド部１０は、調節脚５に対して所定角度範囲内で回動されるものであり、ヘッド部１０が所定の方向に回動するときに、ラチェットレバ１５ーは歯車４と一体になって歯車４を回転させ、調節脚５を上下いずれかの方向に動かすものであり、ヘッド部１０が逆方向に回動するときに、ラチェットレバーは歯車に対して空転し、ヘッド部１０が初期位置まで戻されるものである。したがって、機器２の調節脚５の高さ調節をするとき、細長い柄２０は回動方向にほとんど動かす必要がなくなるので、狭小な場所における回転操作具１の操作性は格段に向上する。
【図面の簡単な説明】
【００２３】
【図１】（ａ）（ｂ）は機器の調節脚のそれぞれ縦断面図及び横断面図である。
【図２】（ａ）（ｂ）は回転操作具のそれぞれ平面図及び断面図である。
【図３】（ａ）（ｂ）は回転操作具の先端部分の拡大平面図及び拡大断面図である。
【図４】（ａ）（ｂ）は扁平薄型ケース及びその内部構成を示す、それぞれ横断面図及び縦断面図である。
【図５】（ａ）（ｂ）は空回しギアプレートのそれぞれ平面図及び側面図である。
【図６】（ａ）（ｂ）は固定プレートのそれぞれ平面図及び側面図である。
【図７】（ａ）は図２において点線Ａで囲んだ部分の拡大平面図であり、（ｂ）はその断面図であり、（ｃ）は柄を構成する上側ケースの拡大平面図である。
【図８】（ａ）は図２において点線Ｂで囲んだ部分の拡大平面図であり、（ｂ）はその断面図である。
【図９】（ａ）は回転操作具の簡略図であり、（ｂ）は機器の調節脚の高さ調節を行う状態を示す簡略図である。
【符号の説明】
【００２４】
１  回転操作具
２  機器
３  脚軸部
４  歯車
５  調節脚
１０  ヘッド部
１２  空回しギアプレート
１２ｃ  ギア（噛み合い）
１３  固定プレート
１３ｆ  凹部
１５  ラチェットレバー
１５ｂ  噛合部
１７  バネ（回動規制部材）
１８  ストッパーピン（回動規制部材）
２０  柄
２１ａ  上側ケース
２１ｂ  下側ケース
２１ｃ  切欠部（軸部材の係止部が係合する柄の所定箇所）
２１ｅ  孔
２１ｄ  側縁（軸部材の係止部が係合する柄の所定箇所）
２３  スペーサー
２５  回動停止バー（軸部材）
２５ｂ  折曲げ部分（係止部）
２６  バネ（付勢手段）
２７  ピン
３０  枢軸
【図１】
2008036717.tif 000003
【図２】
2008036717.tif 000004
【図３】
2008036717.tif 000005
【図４】
2008036717.tif 000006
【図５】
2008036717.tif 000007
【図６】
2008036717.tif 000008
【図７】
2008036717.tif 000009
【図８】
2008036717.tif 000010
【図９】
2008036717.tif 000011